【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】注型材料及びその製造方法並びに発光素子
【手続補正２】
【補正対象書類名】明細書
【補正対象項目名】請求項１
【補正方法】変更
【補正の内容】
【請求項１】
発光物質を添加されている透明なエポキシ注型樹脂を基材とし、紫外線、青色光及び／又は緑色光を放出するＬＥＤチップ（１）を備えたエレクトロルミネッセンス素子のための注型材料（５）において、透明なエポキシ注型樹脂内に、一般式Ａ３Ｂ５Ｘ１２：Ｍ（但し、ＡはＹ，Ｇｄ，Ｌｕを、ＢはＡｌ，Ｇａを、ＸはＯを、ＭはＣｅ３＋、Ｔｂ３＋、Ｅｕ３＋、Ｃｒ３＋、Ｎｄ３＋又はＥｒ３＋を表す）を持つ蛍光物質の群から成る発光物質顔料（６）を備えた無機の発光物質顔料粉末が分散しており、発光物質顔料粉末が≦５ｐｐｍの鉄含有量を有することを特徴とする注型材料。
【手続補正３】
【補正対象書類名】明細書
【補正対象項目名】請求項２
【補正方法】変更
【補正の内容】
【請求項２】
発光物質を添加されている透明なエポキシ注型樹脂を基材とし、紫外線、青色光及び／又は緑色光を放出するＬＥＤチップ（１）を備えたエレクトロルミネッセンス素子のための注型材料（５）において、透明なエポキシ注型樹脂内に、セリウムをドープしたガーネットの群から成る発光物質顔料（６）を備えた無機の発光物質顔料粉末が分散しており、発光物質顔料粉末が≦５ｐｐｍの鉄含有量を有することを特徴とする注型材料。
【手続補正４】
【補正対象書類名】明細書
【補正対象項目名】請求項３
【補正方法】変更
【補正の内容】
【請求項３】
発光物質を添加されている透明なエポキシ注型樹脂を基材とし、紫外線、青色光及び／又は緑色光を放出するＬＥＤチップ（１）を備えたエレクトロルミネッセンス素子のための注型材料（５）において、透明なエポキシ注型樹脂内で、混合色光を作るために、希土類をドープしたチオ没食子酸塩又は希土類をドープしたアルミン酸塩又は希土類をドープしたオルトケイ酸塩を少なくとも１つ有する発光物質顔料粉末（６）が使用され、この発光物質顔料粉末が透明なエポキシ注型樹脂内に分散しており、発光物質顔料粉末が≦５ｐｐｍの鉄含有量を有することを特徴とする注型材料。
【手続補正５】
【補正対象書類名】明細書
【補正対象項目名】請求項４
【補正方法】変更
【補正の内容】
【請求項４】
発光物質顔料粉末（６）として、ＣａＧａ２Ｓ４：Ｃｅ３＋，ＳｒＧａ２Ｓ４：Ｃｅ３＋，ＭＡｌＯ３：Ｃｅ３＋，ＭＡｌＯ３：Ｃｅ３＋及び／又はＭ２ＳｉＯ５：Ｃｅ３＋（但し、ＭはＹ，Ｓｃ，Ｌａを表す）が使用されることを特徴とする請求項３記載の注型材料。
【手続補正６】
【補正対象書類名】明細書
【補正対象項目名】請求項１５
【補正方法】変更
【補正の内容】
【請求項１５】
動作中に電磁放射線を放出する半導体素体（１）を備えた請求項１乃至１０の１つに記載の注型材料を有する発光素子において、半導体素体（１）が半導体素子の動作中に紫外線、青色及び／又は緑色スペクトル範囲の電磁放射線を放出するのに適している半導体層列（７）を有し、発光物質顔料が紫外線、青色及び／又は緑色スペクトル範囲から出る電磁放射線の一部をより大きな波長の放射線に変換し、半導体素子がこのより大きな波長の放射線と紫外線、青色及び／又は緑色スペクトル範囲の放射線とから成る混合放射線を放出することを特徴とする発光素子。
【手続補正７】
【補正対象書類名】明細書
【補正対象項目名】請求項１９
【補正方法】変更
【補正の内容】
【請求項１９】
半導体素体（１）が基本容器（８）の空所（９）内に配置され、この空所（９）が少なくとも部分的に注型材料（５）で満たされていることを特徴とする請求項１５乃至１８の１つに記載の発光素子。
【手続補正８】
【補正対象書類名】明細書
【補正対象項目名】０００１
【補正方法】変更
【補正の内容】
【０００１】
【発明の属する技術分野】
本発明は、発光物質を添加されている透明なエポキシ注型樹脂を基材とし、紫外線、青色光及び／又は緑色光を放出するＬＥＤチップを備えたエレクトロルミネッセンス素子のための注型材料、この注型材料の製造方法、およびこの注型材料を有する発光素子に関する。
【手続補正９】
【補正対象書類名】明細書
【補正対象項目名】０００６
【補正方法】変更
【補正の内容】
【０００６】
【発明が解決しようとする課題】
本発明の課題は、均質な混合色を放出し、適用可能な技術的コストと充分に再現可能な素子特性でもって大量生産を可能にするエレクトロルミネッセンス素子を製造し得る注型材料を提供することにある。
本発明は、放出される光をまた温度や温度・湿度の負荷の際にもその色が安定するようにしようとするものである。
さらに、本発明の課題はこのような注型材料の製造方法を提供することにある。
また、本発明の課題は、このような注型材料を有する発光素子を提供することにある。
【手続補正１０】
【補正対象書類名】明細書
【補正対象項目名】０００７
【補正方法】変更
【補正の内容】
【０００７】
【課題を解決するための手段】
注型材料に関する課題は、本発明によれば、透明なエポキシ注型樹脂内に、一般式Ａ３Ｂ５Ｘ１２：Ｍ（但し、ＡはＹ，Ｇｄ，Ｌｕを、ＢはＡｌ，Ｇａを、ＸはＯを、ＭはＣｅ３＋、Ｔｂ３＋、Ｅｕ３＋、Ｃｒ３＋、Ｎｄ３＋又はＥｒ３＋を表す）を持つ蛍光物質の群から成る発光物質顔料を備えた無機の発光物質顔料粉末が分散しており、発光物質顔料粉末が≦５ｐｐｍの鉄含有量を有することによって解決される。
注型材料に関する課題は、本発明によれば、透明なエポキシ注型樹脂内に、セリウムをドープしたガーネット（ざくろ石）の群からなる発光物質顔料を備えた無機の発光物質粉末が分散しており、発光物質顔料粉末が≦５ｐｐｍの鉄含有量を有することによって解決される。
注型材料に関する課題は、本発明によれば、透明なエポキシ注型樹脂内で、混合色光を作るために、希土類をドープしたチオ没食子酸塩又は希土類をドープしたアルミン酸塩又は希土類をドープしたオルトケイ酸塩を少なくとも１つ有する発光物質顔料粉末が使用され、この発光物質顔料粉末が透明なエポキシ注型樹脂内に分散しており、発光物質顔料粉末が≦５ｐｐｍの鉄含有量を有することによっても解決される。
注型材料の製造方法に関する課題は、本発明によれば、発光物質顔料粉末がエポキシ注型樹脂と混ぜられる前に≧２００どの温度で熱処理されることによって解決される。
発光素子に関する課題は、本発明によれば、半導体素体が半導体素子の動作中に紫外線、青色及び／又は緑色スペクトル範囲の電磁放射線を放出するのに適している半導体層列を有し、発光物質顔料が紫外線、青色及び／又は緑色スペクトル範囲から出る電磁放射線の一部をより大きな波長の放射線に変換し、半導体素子がこのより大きな波長の放射線と紫外線、青色及び／又は緑色スペクトル範囲からなる放射線とから成る混合放射線、特に混合色光を放出することによって解決される。
【手続補正１１】
【補正対象書類名】明細書
【補正対象項目名】００１０
【補正方法】変更
【補正の内容】
【００１０】
本発明による注型材料の特に好ましい実施態様においてはこの注型材料は次のものから構成される。即ち、
ａ）エポキシ注型樹脂≧６０重量％
ｂ）発光物質顔料≦２５重量％
ｃ）揺変性剤≦１０重量％
ｄ）鉱物性分散剤≦１０重量％
ｅ）加工補助剤≦３重量％
ｆ）疏水性剤≦３重量％
ｇ）結合剤≦２重量％
【手続補正１２】
【補正対象書類名】明細書
【補正対象項目名】００４７
【補正方法】変更
【補正の内容】
【００４７】
本発明による半導体素子の図２に示された実施例は、半導体素体１と電気端子２，３の部分領域が注型材料の代わりに透明被覆１５で包囲されている点で、図１の実施例と異なる。この透明被覆１５は半導体素体１から放出された放射線の波長変換の作用をせず、例えば発光ダイオードの技術分野で従来使われているエポキシ、シリコーン或いはアクリル樹脂、或いは例えば無機ガラスのような他の適当な透光性物質からなる。
【手続補正１３】
【補正対象書類名】明細書
【補正対象項目名】００４８
【補正方法】変更
【補正の内容】
【００４８】
この透明被覆１５上には、図２に示すように、注型材料からなり被覆１５の全表面を覆う層４が被着されている。この層４はこの表面の部分領域のみを覆うようにすることも同様に考えられる。層４は、例えば、発光物質粒子６を添加されている透明なエポキシ樹脂からなる。この場合も、白色光を発する半導体素子の発光物質としてはＹＡＧ：Ｃｅが特に適している。